(57)【要約】【課題】より高速な伝送に対応することが可能なコネクタを提供する。【解決手段】コネクタ１００は、複数のコンタクト１０Ｂと、この複数のコンタクト１０Ｂを保持するハウジング１１とを備えている。複数のコンタクト１０Ｂの各々は、接続対象物２００に形成されたグランド部２４と接触する接触部１４と、接触部１４との間に接続対象物２００を挟む挟み部１５とを有している。接触部１４と挟み部１５とは、電気的に絶縁されている。【選択図】図１
2017033906.tif 000002
【特許請求の範囲】
【請求項１】
複数のコンタクトと、前記複数のコンタクトを保持するハウジングとを備え、
前記複数のコンタクトの各々は、接続対象物に形成されたグランド部と接触する接触部と、前記接触部との間に前記接続対象物を挟む挟み部とを有し、
前記接触部と前記挟み部とは、電気的に絶縁されている
ことを特徴とするコネクタ。
【請求項２】
複数の信号用コンタクトをさらに備え、
前記複数の信号用コンタクトは、前記ハウジングに保持され、かつ、前記接続対象物に形成された導電部と接触するように形成されている
ことを特徴とする請求項１記載のコネクタ。
【請求項３】
前記ハウジングに対して移動可能に保持される操作部を、さらに備え、
前記操作部は、移動に伴い前記複数のコンタクトそれぞれの一部と前記複数の信号用コンタクトそれぞれの一部とを押すことで、前記接触部と前記グランド部とを接触させ、かつ、前記複数の信号用コンタクトと前記導電部とを接触させるように構成されている
ことを特徴とする請求項２記載のコネクタ。
【請求項４】
前記ハウジングには、前記接続対象物の端部が挿入される挿入穴が設けられ、
前記複数のコンタクトの各々は、前記挿入穴の深さ方向における前記挿入穴の中心位置よりも前記挿入穴の開口側の位置で前記接触部が前記グランド部と接触するように、前記ハウジングに保持されている
ことを特徴とする請求項１ないし請求項３のいずれか１項に記載のコネクタ。
【発明の詳細な説明】
【技術分野】
【０００１】
本発明は、一般に、コネクタに関し、より詳細には、複数のコンタクトを備えたコネクタに関する。
【背景技術】
【０００２】
従来、ＦＰＣ（Flexible Printed Circuit）やＦＦＣ（Flexible Flat Cable）と接続するコネクタが提案されている（例えば、特許文献１）。
【先行技術文献】
【特許文献】
【０００３】
【特許文献１】特開２０１４−５６６４６号公報
【発明の概要】
【発明が解決しようとする課題】
【０００４】
特許文献１記載のコネクタに限らず、ＦＰＣやＦＦＣ等の接続対象物と接続するコネクタは、より高速な伝送に対応できることが求められている。
【０００５】
本発明は、上述の事由に鑑みてなされ、本発明の目的は、より高速な伝送に対応可能なコネクタを提供することである。
【課題を解決するための手段】
【０００６】
本発明のコネクタは、複数のコンタクトと、前記複数のコンタクトを保持するハウジングとを備えている。前記複数のコンタクトの各々は、接続対象物に形成されたグランド部と接触する接触部と、前記接触部との間に前記接続対象物を挟む挟み部とを有している。前記接触部と前記挟み部とは、電気的に絶縁されている。
【０００７】
このコネクタにおいて、複数の信号用コンタクトをさらに備えていることが好ましい。前記複数の信号用コンタクトは、前記ハウジングに保持され、かつ、前記接続対象物に形成された導電部と接触するように形成されていることが好ましい。
【０００８】
このコネクタにおいて、前記ハウジングに対して移動可能に保持される操作部を、さらに備えていることが好ましい。前記操作部は、移動に伴い前記複数のコンタクトそれぞれの一部と前記複数の信号用コンタクトそれぞれの一部とを押すことで、前記接触部と前記グランド部とを接触させ、かつ、前記複数の信号用コンタクトと前記導電部とを接触させるように構成されていることが好ましい。
【０００９】
このコネクタにおいて、前記ハウジングには、前記接続対象物の端部が挿入される挿入穴が設けられていることが好ましい。前記複数のコンタクトの各々は、前記挿入穴の深さ方向における前記挿入穴の中心位置よりも前記挿入穴の開口側の位置で前記接触部が前記グランド部と接触するように、前記ハウジングに保持されていることが好ましい。
【発明の効果】
【００１０】
本発明のコネクタにおいて、複数のコンタクトの各々は、接続対象物に形成されたグランド部と接触する接触部と、接触部との間に接続対象物を挟む挟み部とを有し、接触部と挟み部とは、電気的に絶縁されている。これにより、本発明のコネクタでは、グランド部を流れるリターン電流の経路を短くすることが可能になる。よって、本発明のコネクタでは、コネクタの挿入損失を低減することが可能となり、帯域通過特性の広帯域化を図ることが可能になる。その結果、本発明のコネクタでは、より高速な伝送に対応することが可能になる。
【図面の簡単な説明】
【００１１】
【図１】図１Ａは、実施形態１のコネクタを備えた接続装置の使用状態を示す断面図である。図１Ｂは、実施形態１のコネクタを備えた接続装置の使用状態を示す他の断面図である。
【図２】図２は、実施形態１のコネクタを備えた接続装置の斜視図である。
【図３】図３は、実施形態１のコネクタが基板に実装された状態を示す一部破断された斜視図である。
【図４】図４Ａは、実施形態１のコネクタにおける信号用コンタクトが基板に実装された状態を示す斜視図である。図４Ｂは、実施形態１のコネクタにおけるグランド用コンタクトが基板に実装された状態を示す斜視図である。
【図５】図５は、実施形態１のコネクタの信号用コンタクト及びグランド用コンタクトが基板に実装された状態を示す平面図である。
【図６】図６Ａは、実施形態１のコネクタの信号用コンタクト及びグランド用コンタクトが接続対象物と接触した状態を示す斜視図である。図６Ｂは、実施形態１のコネクタの信号用コンタクト及びグランド用コンタクトが接続対象物と接触した状態を示す他の斜視図である。
【図７】図７Ａは、実施形態１のコネクタを備えた接続装置の使用例を説明する説明図である。図７Ｂは、実施形態１のコネクタを備えた接続装置の使用例を説明する他の説明図である。
【図８】図８Ａは、比較例のコネクタを備えた接続装置の使用状態を示す断面図である。図８Ｂは、比較例のコネクタを備えた接続装置の使用状態を示す他の断面図である。
【図９】図９は、実施形態１のコネクタにおける帯域通過特性のグラフである。
【図１０】図１０Ａは、実施形態２のコネクタを備えた接続装置の使用状態を示す断面図である。図１０Ｂは、実施形態２のコネクタを備えた接続装置の使用状態を示す他の断面図である。
【図１１】図１１Ａは、実施形態２のコネクタの信号用コンタクト及びグランド用コンタクトが接続対象物と接触した状態を示す斜視図である。図１１Ｂは、実施形態２のコネクタの信号用コンタクト及びグランド用コンタクトが接続対象物と接触した状態を示す他の斜視図である。
【図１２】図１２は、実施形態２のコネクタにおける帯域通過特性のグラフである。
【発明を実施するための形態】
【００１２】
（実施形態１）
以下、実施形態１のコネクタ１００について、図１Ａ〜図６Ｂを参照しながら説明する。
【００１３】
コネクタ１００は、基板４００と接続対象物２００とを電気的に接続するために用いられる。この種のコネクタとしては、例えば、基板対ＦＰＣ接続用のコネクタ、または、基板対ＦＦＣ接続用のコネクタ等が挙げられる。以下では、コネクタ１００が、基板対ＦＰＣ接続用のコネクタである場合について説明する。また、以下では、説明の便宜上、コネクタ１００を備えた接続装置３００を、図１Ａ〜図６Ｂを参照しながら説明した後に、コネクタ１００の詳細について説明する。
【００１４】
接続装置３００は、図２に示すように、コネクタ１００と、コネクタ１００に接続される接続対象物２００とを備えている。なお、以下の説明では、図２中のｘ軸を左右方向と規定し、ｘ軸の矢印の向きを左方と規定する。また、図２中のｙ軸を上下方向と規定し、ｙ軸の矢印の向きを上方と規定する。さらに、図２中のｚ軸を前後方向と規定し、ｚ軸の矢印の向きを後方と規定する。ただし、これらの方向は、実際の使用状態での方向を限定する趣旨ではない。
【００１５】
接続対象物２００は、ＦＰＣである。接続対象物２００は、図６Ａ及び図６Ｂに示すように、板状（本実施形態では、平板状）の基体２１と、グランド層２２と、複数の導電部２３と、複数のグランド部２４と、補強板２５とを備えている。
【００１６】
基体２１は、電気絶縁性を有している。基体２１は、例えば、合成樹脂により形成されている。基体２１の上面の全てには、グランド層（ベタグランド層）２２が形成されている。グランド層２２の上面には、補強板２５が取り付けられている。本実施形態では、補強板２５が、接着部材によりグランド層２２の上面に取り付けられている。
【００１７】
基体２１の下面には、複数の導電部２３が形成されている。また、基体２１の下面には、複数のグランド部２４が形成されている。
【００１８】
複数の導電部２３の各々は、例えば、金属箔により形成されている。複数の導電部２３は、基体２１の下面の左右方向に並んで配置されている。なお、導電部２３の数は、８個であるが、この数値は一例であり、特に限定する趣旨ではない。
【００１９】
複数のグランド部２４の各々は、例えば、金属箔により形成されている。複数のグランド部２４は、基体２１の下面の左右方向に並んで配置されている。なお、グランド部２４の数は、７個であるが、この数値は一例であり、特に限定する趣旨ではない。
【００２０】
複数のグランド部２４の各々は、グランド層２２と電気的に接続されている。具体的に説明すると、複数のグランド部２４は、基体２１に形成された複数のスルーホールを介して、グランド層２２と電気的に接続されている。複数のグランド部２４は、複数のスルーホールに１対１で対応付けられている。
【００２１】
補強板２５は、例えば、矩形板状に形成されている。補強板２５は、電気絶縁性を有している。補強板２５は、例えば、合成樹脂により形成されている。接続対象物２００では、補強板２５の上下方向の寸法（厚み寸法）を適宜設定することによって、接続対象物２００の後端部２０の上下方向の寸法（厚み寸法）を調整することができる。
【００２２】
以下、コネクタ１００の詳細について、図１Ａ〜図６Ｂを参照しながら説明する。
【００２３】
コネクタ１００は、基板４００に実装される。コネクタ１００は、複数（図示例では、８本）の信号用コンタクト１０Ａと、複数（図示例では、７本）のコンタクト（以下、「グランド用コンタクト」）１０Ｂと、ハウジング１１と、操作部１２とを備えている。なお、信号用コンタクト１０Ａの数は、８本であるが、この数値は一例であり、特に限定する趣旨ではない。また、グランド用コンタクト１０Ｂの数は、７本であるが、この数値は一例であり、特に限定する趣旨ではない。
【００２４】
複数の信号用コンタクト１０Ａの各々は、導電性及び弾性を有している。複数の信号用コンタクト１０Ａの各々は、例えば、導電性が高く、かつ、弾性が比較的大きい材料（例えば、銅合金等）により形成されている。
【００２５】
複数のグランド用コンタクト１０Ｂの各々は、信号用コンタクト１０Ａと同様に、導電性及び弾性を有している。
【００２６】
複数の信号用コンタクト１０Ａは、接続対象物２００における複数の導電部２３と接触可能に形成されている（図６Ｂ参照）。複数の信号用コンタクト１０Ａは、複数の導電部２３に１対１で対応付けられている。
【００２７】
複数の信号用コンタクト１０Ａは、同一の形状（側面視Ｈ字状）に形成されている。本実施形態では、複数の信号用コンタクト１０Ａが、コネクタ１００の左右方向に、一定間隔で並んで配置されている。
【００２８】
複数の信号用コンタクト１０Ａの各々は、図１Ａに示すように、接続片１Ａと、接続片２Ａと、両接続片１Ａ，２Ａを連結する連結片３Ａとを備えている。また、複数の信号用コンタクト１０Ａの各々は、接続片１Ａと接続片２Ａとの間に接続対象物２００が差し込まれるように構成されている。接続片１Ａ、接続片２Ａ及び連結片３Ａの各々は、例えば、細長い四角柱状に形成されている。
【００２９】
複数の信号用コンタクト１０Ａの各々は、接続片１Ａ及び接続片２Ａの長手方向がコネクタ１００の前後方向と並行するように、ハウジング１１に取り付けられている。また、複数の信号用コンタクト１０Ａの各々は、接続片１Ａが上側に位置し、かつ、接続片２Ａが下側に位置するように、ハウジング１１に取り付けられている。なお、以下では、説明の便宜上、接続片１Ａを「第１上側接続片１Ａ」と称し、接続片２Ａを「第１下側接続片２Ａ」と称し、連結片３Ａを「第１連結片３Ａ」と称する。
【００３０】
第１上側接続片１Ａの前端部には、下方に向って突出する突起（以下、「第１突起」）４が設けられている。第１突起４は、接続対象物２００の補強板２５と接触可能に形成されている。
【００３１】
第１上側接続片１Ａの後端部には、操作部１２と接触可能な突出部（以下、「第１突出部」）５Ａが設けられている。第１突出部５Ａには、側面視半円状に窪んだ凹部（以下、「第１凹部」）６Ａが形成されている。第１凹部６Ａは、図１Ａに示すように、操作部１２が倒された状態のときに、操作部１２の回転軸１２Ａと接触するように形成されている。なお、回転軸１２Ａの詳細については、後述する。
【００３２】
第１下側接続片２Ａの前端部には、上方に向って突出する突起（以下、「第２突起」）１６が設けられている。第２突起１６は、接続対象物２００の導電部２３と接触可能に形成されている。
【００３３】
第１下側接続片２Ａの後端部には、端子部（以下、「第１端子部」）７Ａが設けられている。第１端子部７Ａは、基板４００の上面に形成された導電部４１と接合される。
【００３４】
第１連結片３Ａは、第１上側接続片１Ａの前後方向の中間部と、第１下側接続片２Ａの前後方向の中間部とを連結するように形成されている。
【００３５】
複数のグランド用コンタクト１０Ｂは、接続対象物２００における複数のグランド部２４と接触可能に形成されている（図６Ｂ参照）。複数のグランド用コンタクト１０Ｂは、複数のグランド部２４に１対１で対応付けられている。本実施形態では、複数のグランド用コンタクト１０Ｂが、コネクタ１００の左右方向に、一定間隔で並んで配置されている。また、本実施形態では、信号用コンタクト１０Ａとグランド用コンタクト１０Ｂとが、交互に並んで配置されている。
【００３６】
複数のグランド用コンタクト１０Ｂの各々は、図１Ｂに示すように、接続対象物２００のグランド部２４と接触する接触部１４と、接触部１４との間に接続対象物２００を挟む挟み部１５とを有している。
【００３７】
具体的に説明すると、複数のグランド用コンタクト１０Ｂの各々は、図１Ｂに示すように、第１コンタクト部１７と、第２コンタクト部１８とを備えている。第１コンタクト部１７と第２コンタクト部１８とは、電気的に絶縁されている。
【００３８】
第１コンタクト部１７は、側面視Ｓ字状に形成されている。第１コンタクト部１７は、接続対象物２００のグランド部２４と電気的に接続する接続片３０と、基板４００の上面に形成されたグランド部４２に接合される端子部（以下、「第２端子部」）７Ｂとを備えている。また、第１コンタクト部１７は、接続片３０と第２端子部７Ｂとを連結する連結片３１を備えている。
【００３９】
連結片３１は、例えば、細長い四角柱状に形成されている。連結片３１の一端部（図１Ｂでは、右端部）には、接続片３０が連結されている。連結片３１の他端部（図１Ｂでは、左端部）には、第２端子部７Ｂが連結されている。
【００４０】
第１コンタクト部１７は、連結片３１の長手方向がコネクタ１００の前後方向と並行するように、ハウジング１１に取り付けられている。また、第１コンタクト部１７は、接続片３０が上側に位置し、かつ、第２端子部７Ｂが下側に位置するように、ハウジング１１に取り付けられている。
【００４１】
接続片３０には、上方に向って突出する突起（以下、「第３突起」）９が設けられている。第３突起９は、接続対象物２００のグランド部２４と接触可能に形成されている。本実施形態では、接触部１４が、第３突起９により構成されている。
【００４２】
第２コンタクト部１８は、側面視ｈ字状に形成されている。第２コンタクト部１８は、接続片３２と、接続片３３と、両接続片３２，３３を連結する連結片３４とを備えている。接続片３２、接続片３３及び連結片３４の各々は、例えば、細長い四角柱状に形成されている。
【００４３】
第２コンタクト部１８は、接続片３２及び接続片３３の長手方向がコネクタ１００の前後方向と並行するように、ハウジング１１に取り付けられている。また、第２コンタクト部１８は、接続片３２が上側に位置し、かつ、接続片３３が下側に位置するように、ハウジング１１に取り付けられている。なお、以下では、説明の便宜上、接続片３２を「第２上側接続片３２」と称し、接続片３３を「第２下側接続片３３」と称し、連結片３４を「第２連結片３４」と称する。
【００４４】
第２上側接続片３２の前端部には、下方に向って突出する突起（以下、「第４突起」）８が設けられている。第４突起８は、接続対象物２００の補強板２５と接触可能に形成されている。第４突起８は、第２上側接続片３２において第３突起９と対向する部位に、設けられている。本実施形態では、挟み部１５が、第４突起８により構成されている。
【００４５】
第２上側接続片３２の後端部には、操作部１２と接触可能な突出部（以下、「第２突出部」）５Ｂが設けられている。第２突出部５Ｂには、側面視半円状に窪んだ凹部（以下、「第２凹部」）６Ｂが形成されている。第２凹部６Ｂは、図１Ｂに示すように、操作部１２が倒された状態のときに、操作部１２の回転軸１２Ａと接触するように形成されている。
【００４６】
第２連結片３４は、第２上側接続片３２の前後方向の中間部と、第２下側接続片３３の前端部とを連結するように形成されている。
【００４７】
ハウジング１１は、複数の信号用コンタクト１０Ａ及び複数のグランド用コンタクト１０Ｂを保持するように形成されている。ハウジング１１は、電気絶縁性を有している。ハウジング１１は、例えば、合成樹脂により形成されている。ハウジング１１は、扁平な直方体状に形成されている。
【００４８】
ハウジング１１には、図３に示すように、複数の信号用コンタクト１０Ａを保持する複数の開口孔（以下、「第１開口孔」）１１Ａが設けられている。複数の第１開口孔１１Ａは、複数の信号用コンタクト１０Ａに１対１で対応付けられている。
【００４９】
複数の第１開口孔１１Ａは、ハウジング１１の左右方向に、一定間隔で並んで設けられている。複数の第１開口孔１１Ａの各々は、ハウジング１１を前後方向に貫通するように形成されている。
【００５０】
また、ハウジング１１には、図３に示すように、複数のグランド用コンタクト１０Ｂを保持する複数の開口孔（以下、「第２開口孔」）１１Ｂが設けられている。複数の第２開口孔１１Ｂは、複数のグランド用コンタクト１０Ｂに１対１で対応付けられている。
【００５１】
複数の第２開口孔１１Ｂは、ハウジング１１の左右方向に、一定間隔で並んで設けられている。複数の第２開口孔１１Ｂの各々は、ハウジング１１を前後方向に貫通するように形成されている。本実施形態では、第１開口孔１１Ａと第２開口孔１１Ｂとが、図３に示すように、交互に並んで配置されているが、これに限定されない。
【００５２】
ハウジング１１の前端部には、接続対象物２００の後端部２０が挿入される挿入穴１１Ｃが設けられている。
【００５３】
操作部１２は、複数の信号用コンタクト１０Ａそれぞれの一部（第１突出部５Ａ）を押すように形成されている。また、操作部１２は、複数のグランド用コンタクト１０Ｂそれぞれの一部（第２突出部５Ｂ）を押すように形成されている。操作部１２は、電気絶縁性を有している。操作部１２は、例えば、合成樹脂により形成されている。
【００５４】
操作部１２は、扁平な直方体状に形成されている。操作部１２の左右方向の寸法は、ハウジング１１の左右方向の寸法と同程度に設定されている。
【００５５】
操作部１２は、回転軸１２Ａを備えている。回転軸１２Ａは、丸棒状に形成されている。操作部１２は、回転軸１２Ａを軸にして、ハウジング１１に対し回転自在となっている（図７Ａ及び７Ｂ参照）。言い換えれば、操作部１２は、ハウジング１１に対して移動可能に保持されている。
【００５６】
操作部１２には、操作部１２が起こされた状態で複数の第１突出部５Ａが挿入される複数の貫通孔（以下、「第１貫通孔」）１２Ｂ（図１Ａ参照）が、設けられている。複数の第１貫通孔１２Ｂは、複数の第１突出部５Ａに１対１で対応付けられている。複数の第１貫通孔１２Ｂの各々は、操作部１２が倒された状態でも、対応する第１突出部５Ａの一部が入り込むように形成されている。
【００５７】
また、操作部１２には、操作部１２が起こされた状態で複数の第２突出部５Ｂが挿入される複数の貫通孔（以下、「第２貫通孔」）１２Ｃ（図１Ｂ参照）が、設けられている。複数の第２貫通孔１２Ｃは、複数の第２突出部５Ｂに１対１で対応付けられている。複数の第２貫通孔１２Ｃの各々は、操作部１２が倒された状態でも、対応する第２突出部５Ｂの一部が入り込むように形成されている。
【００５８】
以下、実施形態１のコネクタ１００に接続対象物２００を着脱する機構について、図７Ａ及び図７Ｂに基づいて簡単に説明する。なお、以下では、グランド用コンタクト１０Ｂの機構のみについて説明し、信号用コンタクト１０Ａの機構について説明を省略する。
【００５９】
コネクタ１００に接続対象物２００を接続する際は、まず、図７Ａに示すように、操作部１２が基板４００に対して略直角に起こされる状態まで、操作部１２を回転させる。これにより、コネクタ１００では、第２上側接続片３２が基板４００に対して平行な状態となり、第３突起９と第４突起８との間隔が最も広がった状態になる。また、コネクタ１００では、接続対象物２００の後端部２０がハウジング１１の挿入穴１１Ｃに差し込まれたとき、第３突起９が接続対象物２００のグランド部２４と接触可能になる。
【００６０】
次に、図７Ｂに示すように、操作部１２が基板４００と平行に倒される状態まで、操作部１２を回転させる。これにより、コネクタ１００では、操作部１２が起こされた状態に比べて、操作部１２の回転軸１２Ａの位置が高くなり、この回転軸１２Ａが第２上側接続片３２の第２凹部６Ｂに接触して第２突出部５Ｂが上方へ変位する。よって、コネクタ１００では、第２連結片３４が撓んで第２上側接続片３２の前端部が下方へ変位し、第４突起８が接続対象物２００の補強板２５と接触する。その結果、コネクタ１００では、第２上側接続片３２の前端部が弾性変形して、第３突起９が接続対象物２００のグランド部２４と接触する。要するに、コネクタ１００では、操作部１２の回転軸１２Ａが複数のグランド用コンタクト１０Ｂそれぞれの一部（第２突出部５Ｂ）を押し上げることによって、複数のグランド用コンタクト１０Ｂと複数のグランド部２４とが接触する。
【００６１】
実施形態１のコネクタ１００では、複数のグランド用コンタクト１０Ｂと複数のグランド部２４とが電気的に接続された状態で、第４突起８と補強板２５との接触圧により摩擦抵抗が生じるので、接続対象物２００を抜け止めすることが可能になる。
【００６２】
一方、コネクタ１００から接続対象物２００を取り外す際は、図７Ａに示すように、操作部１２が起こされる状態まで、操作部１２を回転させる。これにより、コネクタ１００では、操作部１２が倒された状態に比べて、操作部１２の回転軸１２Ａの位置が低くなり、この回転軸１２Ａが第２上側接続片３２の第２凹部６Ｂに接触しなくなる。よって、コネクタ１００では、第２上側接続片３２が基板４００に対して平行な状態となり、第４突起８が接続対象物２００の補強板２５と接触しなくなるので、コネクタ１００から接続対象物２００を容易に引き抜くことが可能になる。
【００６３】
すなわち、実施形態１のコネクタ１００では、図７Ａに示すように、操作部１２が起こされた状態で、複数のグランド用コンタクト１０Ｂと接続対象物２００における複数のグランド部２４との電気的な接続を解除する。一方、コネクタ１００では、図７Ｂに示すように、操作部１２が倒された状態で、複数のグランド用コンタクト１０Ｂと複数のグランド部２４とを電気的に接続する。
【００６４】
また、実施形態１のコネクタ１００では、操作部１２が起こされた状態で、複数の信号用コンタクト１０Ａと接続対象物２００における複数の導電部２３との電気的な接続を解除する。一方、コネクタ１００では、操作部１２が倒された状態で、複数の信号用コンタクト１０Ａと複数の導電部２３とを電気的に接続する。
【００６５】
以下、比較例のコネクタ７００について、図８Ａ及び図８Ｂに基づいて説明する。
【００６６】
比較例のコネクタ７００の基本構成は、実施形態１のコネクタ１００と同じ構成である。比較例のコネクタ７００は、図８Ｂに示すように、グランド用コンタクト１０Ｂの形状が異なる点が、実施形態１のコネクタ１００と相違する。なお、比較例のコネクタ７００では、実施形態１のコネクタ１００と共通する構成要素に同一の符号を付して説明を省略する。
【００６７】
比較例のコネクタ７００では、複数のグランド用コンタクト１０Ｂの各々が、側面視Ｈ字状に形成されている。
【００６８】
複数のグランド用コンタクト１０Ｂの各々は、図８Ｂに示すように、接続片１Ｂと、接続片２Ｂと、両接続片１Ｂ，２Ｂを連結する連結片３Ｂとを備えている。また、複数のグランド用コンタクト１０Ｂの各々は、接続片１Ｂと接続片２Ｂとの間に接続対象物２００が差し込まれるように構成されている。接続片１Ｂ、接続片２Ｂ及び連結片３Ｂの各々は、例えば、細長い四角柱状に形成されている。接続片１Ｂには、第４突起８が設けられている。接続片２Ｂには、第３突起９が設けられている。要するに、比較例のコネクタ７００では、接触部１４と挟み部１５とが電気的に接続されている。
【００６９】
比較例のコネクタ７００では、接触部１４と挟み部１５とが電気的に接続されているので、接続対象物２００のグランド部２４に流れるリターン電流が、図８Ｂ中の矢印付き点線で示す経路を流れる。
【００７０】
一方、実施形態１のコネクタ１００では、接触部１４と挟み部１５とが電気的に絶縁されているので、接続対象物２００のグランド部２４を流れるリターン電流が、図１Ｂの矢印付き点線で示す経路を流れる。よって、コネクタ１００では、比較例のコネクタ７００よりも、リターン電流が流れる経路を短くすることが可能となり、コネクタ１００の挿入損失を低減することが可能になる（図９参照）。なお、図９中の実線は、実施形態１のコネクタ１００における帯域通過特性を表している。また、図９中の一点鎖線は、比較例のコネクタ７００における帯域通過特性を表している。また、コネクタ１００の挿入損失とは、信号用コンタクト１０Ａ及びグランド用コンタクト１０Ｂに流れる電流が減衰する割合を意味する。
【００７１】
その結果、実施形態１のコネクタ１００では、比較例のコネクタ７００に比べて、帯域通過特性の広帯域化を図ることが可能になる。すなわち、コネクタ１００では、比較例のコネクタ７００に比べて、より高速な伝送に対応することが可能になる。
【００７２】
以上説明した実施形態１のコネクタ１００は、複数のコンタクト１０Ｂと、複数のコンタクト１０Ｂを保持するハウジング１１とを備えている。複数のコンタクト１０Ｂの各々は、接続対象物２００に形成されたグランド部２４と接触する接触部１４と、接触部１４との間に接続対象物２００を挟む挟み部１５とを有している。接触部１４と挟み部１５とは、電気的に絶縁されている。
【００７３】
これにより、実施形態１のコネクタ１００では、接続対象物２００に形成されたグランド部２４からのリターン電流が流れる経路を短くすることが可能となり、コネクタ１００の挿入損失を低減することが可能になる。よって、コネクタ１００では、帯域通過特性の広帯域化を図ることが可能になる。すなわち、コネクタ１００では、より高速な伝送に対応することが可能になる。
【００７４】
なお、本実施形態では、信号用コンタクト１０Ａとグランド用コンタクト１０Ｂとが、交互に並んで配置されているが、これに限定されない。また、信号用コンタクト１０Ａ及びグランド用コンタクト１０Ｂは、一定間隔で配置されているが、これに限定されず、任意の位置に適宜配置されてもよい。
【００７５】
また、本実施形態のコネクタ１００は、ＦＰＣが接続されるコネクタ（基板対ＦＰＣ接続用のコネクタ）であるが、これに限らず、ＦＦＣが接続されるコネクタ（基板対ＦＦＣ接続用のコネクタ）であってもよい。
【００７６】
（実施形態２）
以下、実施形態２のコネクタ１１０について、図１０Ａ〜図１１Ｂに基づいて説明する。実施形態２のコネクタ１１０の基本構成は、実施形態１のコネクタ１００と同じである。また、実施形態２のコネクタ１１０は、図１０Ｂに示すように、グランド用コンタクト１０Ｂの形状が異なる点等が、実施形態１のコネクタ１００と相違する。なお、実施形態２のコネクタ１１０では、実施形態１のコネクタ１００と同様の構成要素に同一の符号を付して説明を適宜省略する。また、実施形態２のコネクタ１１０は、接続対象物２００とで、接続装置３００を構成してもよい。
【００７７】
複数のグランド用コンタクト１０Ｂの各々は、ハウジング１１の挿入穴１１Ｃの深さ方向における挿入穴１１Ｃの中心位置よりも挿入穴１１Ｃの開口側の位置で接触部１４が接続対象物２００のグランド部２４と接触するように、ハウジング１１に保持されている。
【００７８】
また、複数のグランド用コンタクト１０Ｂの各々は、挿入穴１１Ｃの中心位置よりも上記開口側の位置で挟み部１５が接続対象物２００の補強板２５と接触するように、ハウジング１１に保持されている。
【００７９】
実施形態２のコネクタ１１０では、接触部１４が、挿入穴１１Ｃの中心位置よりも上記開口側の位置で接続対象物２００のグランド部２４と接触するので、グランド部２４を流れるリターン電流が、図１０Ｂ中の矢印付き点線で示す経路を流れる。
【００８０】
これにより、実施形態２のコネクタ１１０では、実施形態１のコネクタ１００よりも、リターン電流が流れる経路を短くすることが可能になる。よって、コネクタ１１０では、実施形態１のコネクタ１００よりも、コネクタ１１０の挿入損失を低減することが可能になる（図１２参照）。なお、図１２中の実線は、実施形態２のコネクタ１１０における帯域通過特性を表している。また、図１２中の一点鎖線は、実施形態１のコネクタ１００における帯域通過特性を表している。
【００８１】
その結果、実施形態２のコネクタ１１０では、実施形態１のコネクタ１００よりも、帯域通過特性の広帯域化を図ることが可能になる。すなわち、コネクタ１１０では、実施形態１のコネクタ１００よりも、より高速な伝送に対応することが可能になる。
【００８２】
また、複数の信号用コンタクト１０Ａの各々は、挿入穴１１Ｃの深さ方向における挿入穴１１Ｃの中心位置よりも挿入穴１１Ｃの底側の位置で第１下側接続片２Ａの第２突起１６が接続対象物２００の導電部２３と接触するように、ハウジング１１に保持されている。これにより、実施形態２のコネクタ１１０では、実施形態１のコネクタ１００よりも、信号用コンタクト１０Ａを流れる電流の経路を短くすることが可能になる。よって、コネクタ１１０では、実施形態１のコネクタ１００よりも、コネクタ１１０の挿入損失をより低減することが可能になる。
【００８３】
その結果、実施形態２のコネクタ１１０では、実施形態１のコネクタ１００よりも、帯域通過特性の広帯域化をさらに図ることが可能になる。すなわち、コネクタ１１０では、実施形態１のコネクタ１００よりも、さらに高速な伝送に対応することが可能になる。
【００８４】
以上説明した実施形態２のコネクタ１１０では、複数のグランド用コンタクト１０Ｂの各々が、挿入穴１１Ｃの中心位置よりも挿入穴１１Ｃの開口側の位置で接触部１４がグランド部２４と接触するように、ハウジング１１に保持されている。これにより、実施形態２のコネクタ１１０では、実施形態１のコネクタ１００よりも、帯域通過特性の広帯域化を図ることが可能になる。すなわち、コネクタ１１０では、実施形態１のコネクタ１００よりも、より高速な伝送に対応することが可能になる。
【符号の説明】
【００８５】
１０Ａ  信号用コンタクト
１０Ｂ  コンタクト
１１  ハウジング
１１Ｃ  挿入穴
１２  操作部
１４  接触部
１５  挟み部
２０  後端部（端部）
１００  コネクタ
１１０  コネクタ
【図１】
2017033906.tif 000003
【図２】
2017033906.tif 000004
【図３】
2017033906.tif 000005
【図４】
2017033906.tif 000006
【図５】
2017033906.tif 000007
【図６】
2017033906.tif 000008
【図７】
2017033906.tif 000009
【図８】
2017033906.tif 000010
【図９】
2017033906.tif 000011
【図１０】
2017033906.tif 000012
【図１１】
2017033906.tif 000013
【図１２】
2017033906.tif 000014